(57)【要約】【課題】  パンチング板に秘められた可能性をうまい具合に引き出し、その用途を拡げる。【解決手段】  パンチング板１の一方の面２側に培地材５が備えられ、該培地材５に植設された植物６の地上部６ａが、パンチング板１の孔１ａからパンチング板１のもう一方の面３側に突出し、該もう一方の面３側を緑化するようになされている。培地材５は、パンチング板１の前記一方の面２に沿うように配置されてパンチング板１に保持され、該パンチング板１は、緑化する側の面３を斜め上方に向けるように傾斜して配設されている。そして、このパンチング板１が、上下方向に複数段備えられている。【選択図】      図１
2005160325.tif 000002
【特許請求の範囲】
【請求項１】
パンチング板の一方の面側に培地材が備えられ、
該培地材に植設された植物の地上部が、パンチング板の孔からパンチング板のもう一方の面側に突出し、該もう一方の面側を緑化するようになされていることを特徴とする緑化構造。
【請求項２】
前記培地材が、パンチング板の前記一方の面に沿うように配置されてパンチング板に保持され、該パンチング板は、緑化する側の面を斜め上方に向けるように傾斜して配設されている請求項１に記載の緑化構造。
【請求項３】
前記パンチング板が、上下方向に複数段備えられている請求項２に記載の立ち上がり緑化構造。
【請求項４】
前記パンチング板が、緑化する側の面を側方に向けるように直立して備えられ、植物が前記培地材の上面部に植設され、植物地上部はパンチング板の孔を通じてパンチング板の緑化する面側に突出している請求項１に記載の緑化構造。
【請求項５】
パンチング板が、植物の地上部を支える支持材として用いられていることを特徴とする緑化構造。
【発明の詳細な説明】
【技術分野】
【０００１】
本発明は、緑化構造に関する。
【背景技術】
【０００２】
アルミニウム等の金属製のパンチング板は、金属板にパンチング加工を施すことで容易に製作でき、また、板材から製品材料を打ち抜いた抜き残材もパンチング板として用いることができるから安価に入手でき、それでいて、用途面で無限の可能性が秘められた材料であり、その用途開発が行われている。
【発明の開示】
【発明が解決しようとする課題】
【０００３】
本発明は、そのような背景において、パンチング板に秘められた可能性をうまい具合に引き出し、その用途を拡げることを課題とする。
【課題を解決するための手段】
【０００４】
上記の課題は、パンチング板の一方の面側に培地材が備えられ、
該培地材に植設された植物の地上部が、パンチング板の孔からパンチング板のもう一方の面側に突出し、該もう一方の面側を緑化するようになされていることを特徴とする緑化構造（第１発明）によって解決される。
【０００５】
この緑化構造では、パンチング板が、植物地上部のすぐ背後に備えられる構造となっているので、看者に、パンチング板と植物地上部との外観的融合による独特の美感を感得させることができ、パンチング板に秘められていた可能性を植物地上部との関係でうまい具合に引き出すことができて、パンチング板の用途を緑化の分野において拡げることができる。しかも、パンチング板を用いた緑化であるから、そのような緑化を安価に実現することができる。
【０００６】
加えて、パンチング板は、板材に孔が明けられたものであって、あくまで板材であるので、運搬や保管において板材としての取扱いをすることができ、他への取付けやパンチング板へのホルダー等の取付けも容易に行うことができる。また、ハンチングされることでその板材は軽量化され、施工等を容易に行うことができる。
【０００７】
上記の第１発明の緑化構造において、培地材が、パンチング板の前記一方の面に沿うように配置されてパンチング板に保持され、該パンチング板は、緑化する側の面を斜め上方に向けるように傾斜して配設されているのもよい（第２発明）。この構造では、低背な草花などを用いて植物地上部とパンチング板の外観的融合による美麗な立ち上がり状の緑化を実現することができ、それでいて、植物に生育上の無理なストレスを与えることもない。
【０００８】
特に、上記の第２発明において、パンチング板が、上下方向に複数段備えられている場合（第３発明）は、背高で彫りの深い立体的な立ち上がり状緑化を実現することができる。
【０００９】
また、上記の第１発明において、パンチング板が、緑化する側の面を側方に向けるように直立して備えられ、植物が前記培地材の上面部に植設され、植物地上部はパンチング板の孔を通じてパンチング板の緑化する面側に突出しているのもよい（第４発明）。この構造では、蔓性植物などを用いることで、そのような植物の地上部とパンチング板との外観的融合による美麗な立ち上がり状緑化を実現することができる。しかも、培地材と植物の根元部分はパンチング板の背後に隠されて視認されず、あるいは、視認されにくく、そのため、植物地上部とパンチング板の外観的融合による美麗さが、培地材や植物の根元部分によって妨げられることもない。そして、植物は、培地材の上面部に植設されているので、植物に生育上のストレスを与えることもない。
【００１０】
更に、上記課題は、パンチング板が、植物の地上部を支える支持材として用いられていることを特徴とする緑化構造（第５発明）によっても解決される。この構造においても、看者に、パンチング板と植物地上部との外観的融合による独特の美感を感得させることができ、パンチング板に秘められていた可能性をこれに支持された植物との関係でうまい具合に引き出すことができて、パンチング板の用途を緑化分野において拡げることができる。
【発明の効果】
【００１１】
本発明の緑化構造は、以上のとおりのものであるから、看者に、パンチング板と植物地上部との外観的融合による独特の美感を感得させることができ、パンチング板に秘められていた可能性をうまい具合に引き出すことができて、パンチング板の用途を緑化分野において拡げていくことができる。しかも、そのような緑化をコスト的に有利に実現することができる。
【発明を実施するための最良の形態】
【００１２】
次に、本発明の実施最良形態を図面に基づいて説明する。
【００１３】
図１〜図４に示す緑化構造は、第１〜第３発明の実施形態である。同緑化構造において、１はパンチング板であり、該パンチング板１は、アルミニウム等の金属製の帯状板からなっていて、面内に多数の円形孔１ａ…が密状配置で明けられたものからなっている。そして、図３及び図４に示すように、このパンチング板１の一方の面２側に該面２に沿うように培地材５が備えられ、該培地材５に植設された植物６の地上部６ａが、図１等に示すように、パンチング板１の孔１ａからパンチング板１のもう一方の面３側に突出して該もう一方の面３側を緑化するようになされている。
【００１４】
培地材５は、樹脂系不織布等の給排水性を備えたマット状のものなどからなっていて、図３及び図４に示すように、パンチング板１の孔１ａの位置に対応して、ポット苗を嵌め込む穴５ａが備えられている。この培地材５は、パンチング板１の一方の面の全体にわたるように備えられていてもよいが、本実施形態で示すように、パンチング板１の面の一部分に備えさせ、培地材５の備えられていない部分に存在する孔１ａ…を空気を前後方向に流通させる通風孔とするのもよい。
【００１５】
本実施形態では、培地材５は、方形状をしており、パンチング板１の一方の面２側においてホルダー７でパンチング板１に保持されている。
【００１６】
ホルダー７は、図４に示すように、樹脂製あるいは金属製などの溝形材を用いた三方枠からなっていて、各溝形材は溝側を内向きとするようにしてパンチング板１に取り付けられており、培地材５は、三方枠７の開口側を差込み口として差し込まれ、三辺を三方枠７の各辺の溝内に嵌め込んだ状態にされることによってパンチング板１に保持されている。また、図３及び図４に示すように、三方枠７に保持された培地材５の背面側には裏面シート８が備えられており、この裏面シート８が、培地材５に備えられている穴５ａを背面側から塞ぐと共に、培地材５をパンチング板１から脱落しないように支えるようになされている。
【００１７】
そして、培地材５の保持されたパンチング板１は、図１、図２及び図３（イ）に示すように、長手方向を横向きにするようにして、両端がスタンド９の左右の柱部９ａ，９ａに取り付けられ、それが上下方向に３段備えられ、各段のパンチング板１…はそれぞれ、緑化する側の面３を斜め上方に向けるように傾斜状態にされている。そして、各パンチング板１…において、図３（ロ−１）（ロ−２）に示すように、緑化する側の面３側からパンチング板１の孔１ａを通じて培地材５の穴５ａに草花などのプラグ苗１０が嵌め込まれ、パンチング板１の斜め上方を向く面３側が植物地上部６ａによって緑化されている。本実施形態では、図１に示すように、上下方向に３段のパンチング板１を利用して植物地上部６ａが市松模様状に配置され、植物地上部６ａで緑化されている部分と通風孔１ａ…部分とが混在するような構成にされている。
【００１８】
なお、図２に示すように、各段のパンチング板１の上縁部には、灌水用のパイプ１１が、培地材５の直上部に位置して、図示しないクリップなどで止め付けられ、パイプ１１に水を通すことで、培地材５に水分を補給することができるようになされている。
【００１９】
上記の緑化構造では、図２等に示すように、パンチング板１が、培地材５の側と植物地上部６ａの側との間に存在し、植物地上部６ａのすぐ背後に備えられた構造となっているので、看者に、パンチング板１と植物地上部６ａとの外観的融合による独特の美感を感得させることができてパンチング板に秘められていた可能性を植物地上部６ａとの関係でうまい具合に引き出すことができ、パンチング板の用途を緑化の分野において拡げていくことができる。
【００２０】
特に、本実施形態では、植物地上部６ａで緑化されていない通風孔１ａ…部分と緑化された部分とが混在配置された緑化構造に構成されているので、緑化構造中におけるパンチング板１の存在を通風孔１ａ…部分で強く主張することができると共に、通風による快適な空気環境を形成することができる。
【００２１】
しかも、パンチング板は、製作ゃ入手をコスト的に有利に行うことができものであり、上記のような緑化を低コストにて実現することができる。
【００２２】
また、本実施形態では、培地材５がパンチング板１にその面に沿うように保持され、かつ、パンチング板１が、緑化する側の面３を斜め上方に向けるように傾斜して配設されているので、草花などの植物を用いて立ち上がり状の緑化を実現することができ、それでいて、そのような植物に生育上の無理なストレスを与えることもない。そして、培地材５はパンチング板１の背面側に保持されていてパンチング板１を隠さず、看者に、パンチング板１とそのような植物地上部６ａとの外観的融合による独特の美感をそのような立ち上がり状緑化において感得させることができる。
【００２３】
特に、本実施形態では、そのようなパンチング板１が、上下方向に複数段備えられている構造としているので、背高で彫りの深い立ち上がり状緑化を実現することができる。
【００２４】
図５〜図７に示す緑化構造は、第１、第４及び第５発明の実施形態である。本実施形態の緑化構造では、帯板状のパンチング板１が、長手方向を上下方向に向けるようにしてその上下の端部がスタンド９の上下の枠９ｂ，９ｂに取り付けられて直立状態に備えられている。そして、図７に示すように、パンチング板１の一方の面２側の下端部には溝形材からなるホルダー７が開口部を上向きにするようにして備えられ、該ホルダー７の溝内に培地材５が保持され、該培地材５の上面部に蔓性植物６が植設され、その植物地上部６ａはパンチング板１の孔１ａからパンチング板１のもう一方の面３側に突出している。
【００２５】
蔓性植物６の地上部６ａは、その成長に伴って上方に延びていき、その過程で、パンチング板１の孔１ａ…を利用してパンチング板１に絡み付いてパンチング板１に支持され、あるいは、パンチング板１に人為的にひもで結束されてパンチング板１に支持され、それによって、パンチング板１の前記もう一方の面３側が広く緑化されていく。
【００２６】
この緑化構造でも、植物地上部６ａとパンチング板１との外観的融合による美麗な立ち上がり状緑化を実現することができる。しかも、培地材５と植物６の根元部分はパンチング板１の背後に隠されて視認されず、あるいは、視認されにくく、そのため、植物地上部６ａとパンチング板１の外観的融合による美麗さが、培地材５や植物６の根元部分によって妨げられることもない。そして、植物６は、培地材５の上面部に植設されているので、植物６に生育上のストレスを与えることもない。更に、本実施形態では、パンチング板１が植物地上部６ａを支える支持材としても機能しており、立ち上がり状緑化を実現する上で植物地上部を支えるという重要な働きをすることができる。
【００２７】
図８に示す第３実施形態は、第２実施形態の緑化構造において、パンチング板１の一方の面２側の高さ方向中間部位置にも、溝形材からなるホルダー７が取り付けられ、該ホルダー７に培地材５が保持され、該培地材５にも蔓性植物が植設されている。このように、植物６を上下方向に複数段に備えさせることで、植物６が苗の状態のものであっても、パンチング板を上下方向にうまい具合に緑化することができる。
【００２８】
なお、第２、第３実施形態において、下方に伸びていく蔓性植物を用いる場合には、パンチング板の下端側に備えられていた培地材を上端側に備えさせるようにするのもよい。
【００２９】
以上に、本発明の実施形態を示したが、本発明はこれに限られるものではなく、発明思想を逸脱しない範囲で各種の変更が可能である。例えば、上記の実施形態では、パンチング板１をスタンド９，９に取り付けた緑化構造を示したが、パンチング板を生け垣や緑化フェンス等に組み込んだ緑化構造に構成されてもよい。また、第１発明の緑化構造では、パンチング板を培地材としての地面に水平に敷き、地面に植えた植物の地上部をパンチング板の孔からパンチング板の上面側に突出させる緑化構造をも含むものであることはいうまでもない。また、第５発明の緑化構造では、パンチング板が植物の地上部を支える支持材として用いられたものであればよい。
【図面の簡単な説明】
【００３０】
【図１】第１実施形態の緑化構造を示す斜視図である。
【図２】同緑化構造の断面側面図である。
【図３】図（イ）は植物が植設される前の状態を示す断面側面図、図（ロ−１）は植物の植付け方法を示す要部断面側面図、図（ロ−２）は植え付けた状態の要部断面側面図である。
【図４】パンチング板を背面側から見たもので、パンチング板への培地材の取付け方法を示す背面図である。
【図５】第２実施形態の緑化構造を示す斜視図である。
【図６】植物が植設される前の状態を示す正面図である。
【図７】図（イ）は植物の苗を植え付けた状態の断面側面図、図（ロ）はその要部拡大断面側面図である。
【図８】第３実施形態の緑化構造を示す断面側面図である。
【符号の説明】
【００３１】
１…パンチング板
１ａ…円形孔
２…一方の面
３…もう一方の面（緑化する面）
５…培地材
６…植物
６ａ…植物地上部
【図１】
2005160325.tif 000003
【図２】
2005160325.tif 000004
【図３】
2005160325.tif 000005
【図４】
2005160325.tif 000006
【図５】
2005160325.tif 000007
【図６】
2005160325.tif 000008
【図７】
2005160325.tif 000009
【図８】
2005160325.tif 000010